(57)【特許請求の範囲】
【請求項１】
車両をロックする複数のロック機構と、前記ロック機構のロックおよび解除を行う車両側制御部と、通信を行う車両側送信処理部とを備えた車両ロック装置と、
前記車両側送信処理部との通信を行う管理側送受信処理部と、前記車両側送信処理部から送信される車両情報を入力するとともに前記ロック機構のロックまたは解除指令を車両側送受信処理部に送信する管理側制御部と、ＩＣカードの情報を読み書きするカードリードライタと、を備えた管理装置と、
前記各ロック機構の近傍にそれぞれ配置され、前記ＩＣカードのカード情報を送受信するカード情報送受信部と、常時ＯＦＦとされ前記車両側制御部によりＯＮに切り換えられるカード情報送受信切換スイッチとを備えたカード受付部と、
前記カードリードライタと前記各カード情報送受信切換スイッチとを直列に接続するカード情報送受信ケーブルと、を備えており、
前記管理側制御部は、前記車両側制御部から前記カード情報送受信切換スイッチをＯＮにする信号が送信されたときに、その他の車両ロック装置の前記カード情報送受信切換スイッチをＯＦＦに規制するように制御することを特徴とする精算管理システム。
【請求項２】
前記ＩＣカードは、非接触式のカードであり、前記カード情報送受信部は、非接触式カード用アンテナで構成されていることを特徴とする請求項１に記載の精算管理システム。
【請求項３】
前記ＩＣカードは、接触式のカードであり、前記カード情報送受信部は、接触式カード用端子で構成されていることを特徴とする請求項１に記載の精算管理システム。
【請求項４】
前記カード受付部は、精算用スイッチを備えており、前記精算用スイッチが操作されたときに、前記車両側制御部により前記カード情報送受信切換スイッチをＯＮに切り換えることを特徴とする請求項１から請求項３のいずれか一項に記載の精算管理システム。
【請求項５】
前記管理装置は、前記車両側送信処理部から送信される車両情報を記憶させる記憶部を備えていることを特徴とする請求項１から請求項４のいずれか一項に記載の精算管理システム。
【請求項６】
前記車両は、二輪車であることを特徴とする請求項１から請求項５のいずれか一項に記載の精算管理システム。
【請求項７】
前記車両は、自動車であることを特徴とする請求項１から請求項５のいずれか一項に記載の精算管理システム。
【発明の詳細な説明】
【技術分野】
【０００１】
本発明は精算管理システムに係り、特に、二輪車の駐輪場や自動車の駐車場において、車両位置で精算を行うことを可能とした精算管理システムに関するものである。
【背景技術】
【０００２】
一般に、自転車などの二輪車を駐輪する有料駐輪場があり、この有料の駐輪場においては、二輪車毎にロックするロック機構を設け、精算が完了した場合にロック機構のロックを解除するシステムが採用されている。このような管理システムにおいては、利用者各自の精算操作によりロック機構の施錠および解除が行われるため、駐輪場の管理人の設置が不要となり、人件費等を削減することができるというメリットがある。
【０００３】
このような有料の駐輪場の管理システムとして、従来から、二輪車をロックするロック機構を設けるとともに、駐輪場に精算機を設置し、この精算機により発行されるＩＣチップタグにより、ロック機構の施錠と解錠を行うことができるようにした技術が開示されている（例えば、特許文献１参照）。
【先行技術文献】
【特許文献】
【０００４】
【特許文献１】特開２００７−２８００７７号公報
【発明の概要】
【発明が解決しようとする課題】
【０００５】
しかしながら、前記特許文献１に記載の発明においては、通常、駐輪料金を支払う精算機は、複数の駐輪位置に対して１カ所しか設定されておらず、特に広い駐輪場では、例えば精算機から離れた場所に駐輪した場合や、精算機から離れたところにある出入口を利用するような場合等に、利用者が駐輪した二輪車の駐輪位置番号を確認した後、精算機で駐輪位置番号を入力して駐輪料金を精算し、再び、駐輪位置に戻る必要があり、利用者の移動距離が多くなり、精算手続が極めて煩雑なものとなってしまうという問題を有している。
【０００６】
本発明は前記した点に鑑みてなされたものであり、車両の駐車位置で精算を行うことができ、利用者の使い勝手を著しく向上させることのできる精算管理システムを提供することを目的とするものである。
【課題を解決するための手段】
【０００７】
本発明は前記目的を達成するために、請求項１に記載の発明に係る精算管理システムは、車両をロックする複数のロック機構と、前記ロック機構のロックおよび解除を行う車両側制御部と、通信を行う車両側送信処理部とを備えた車両ロック装置と、
前記車両側送信処理部との通信を行う管理側送受信処理部と、前記車両側送信処理部から送信される車両情報を入力するとともに前記ロック機構のロックまたは解除指令を車両側送受信処理部に送信する管理側制御部と、ＩＣカードの情報を読み書きするカードリードライタと、を備えた管理装置と、
前記各ロック機構の近傍にそれぞれ配置され、前記ＩＣカードのカード情報を送受信するカード情報送受信部と、常時ＯＦＦとされ前記車両側制御部によりＯＮに切り換えられるカード情報送受信切換スイッチとを備えたカード受付部と、
前記カードリードライタと前記各カード情報送受信切換スイッチとを直列に接続するカード情報送受信ケーブルと、を備えており、
前記管理側制御部は、前記車両側制御部から前記カード情報送受信切換スイッチをＯＮにする信号が送信されたときに、その他の車両ロック装置の前記カード情報送受信切換スイッチをＯＦＦに規制するように制御することを特徴とする。
【０００８】
請求項２に係る発明は、請求項１において、前記ＩＣカードは、非接触式のカードであり、前記カード情報送受信部は、非接触式カード用アンテナで構成されていることを特徴とする。
【０００９】
請求項３に係る発明は、請求項１において、前記ＩＣカードは、接触式のカードであり、前記カード情報送受信部は、接触式カード用端子で構成されていることを特徴とする。
【００１０】
請求項４に係る発明は、請求項１から請求項３のいずれか一項において、前記カード受付部は、精算用スイッチを備えており、前記精算用スイッチが操作されたときに、前記車両側制御部により前記アンテナ切換スイッチをＯＮに切り換えることを特徴とする。
【００１１】
請求項５に係る発明は、請求項１から請求項４のいずれか一項において、前記管理装置は、前記車両側送信処理部から送信される車両情報を記憶させる記憶部を備えていることを特徴とする。
【００１２】
請求項６に係る発明は、請求項１から請求項５のいずれか一項において、前記車両は、二輪車であることを特徴とする。
【００１３】
請求項７に係る発明は、請求項１から請求項５のいずれか一項において、前記車両は、自動車であることを特徴とする。
【発明の効果】
【００１４】
請求項１に係る発明によれば、管理側制御部により車両側制御部からカード情報送受信切換スイッチをＯＮにする信号が送信されたときに、その他の車両ロック装置のカード情報送受信切換スイッチをＯＦＦに規制するように制御するようにしているので、カード情報送受信切換スイッチがＯＮにされた１つのカード情報送受信のみをカードリードライタに接続させて、精算を行うようことができ、利用者は、従来のように駐輪場などに設置された精算機にわざわざ移動しなくても、容易に料金の精算を行うことができる。また、カード情報送受信切換スイッチによりカードリードライタに接続できるカード情報送受信を切り換えるようにしているので、カードリードライタを１台設置すればよく、設備コストを低く抑えることができ、安価で確実な料金の精算処理を実現することが可能となる。
【００１５】
請求項２に係る発明によれば、ＩＣカードを非接触式のカードとし、カード情報送受信部を非接触式カード用アンテナで構成するようにしているので、非接触式のＩＣカードを用いて容易に料金の精算を行うことができる。
【００１６】
請求項３に係る発明によれば、ＩＣカードを接触式のカードとし、カード情報送受信部を接触式カード用端子で構成するうよにしているので、接触式のＩＣカードを用いて容易に料金の精算を行うことができる。
【００１７】
請求項４に係る発明によれば、カード受付部が精算用スイッチを備えており、この精算用スイッチが操作されたときに、車両側制御部によりカード情報送受信切換スイッチをＯＮに切り換えるようにしているので、精算用スイッチを操作したカード情報送受信切換スイッチのみをＯＮに切り換えてカードリードライタに接続させることができる。
【００１８】
請求項５に係る発明によれば、管理装置に車両側送信処理部から送信される車両情報を記憶させる記憶部を設けるようにしているので、管理側制御部により、精算時に車両情報に基づいて料金を算出することができる。
【００１９】
請求項６に係る発明によれば、車両が二輪車であるので、二輪車を駐輪させる駐輪場における精算処理を容易に行うことができる。
【００２０】
請求項７に係る発明によれば、車両が自動車であるので、自動車を駐車させる駐車場における精算処理を容易に行うことができる。
【発明を実施するための形態】
【００２１】
以下、本発明の実施の形態について図面を参照しながら説明する。
【００２２】
図１および図２は本発明に係る精算管理システムを車両としての自転車などの二輪車の駐輪場の精算管理システムに適用した場合の実施形態を示す概略図である。図１に示すように、駐輪場の精算管理システム１は、複数の駐輪レール２，２…を平行に配置してなるラックユニット３を備えており、各駐輪レール２には、駐輪ロック装置４がそれぞれ設置されている。駐輪ロック装置４は、ロック機構５を備えており、ロック機構５は、駐輪レール２に駐輪した二輪車の車輪部分に進退可能な可動レバー６を備えている。そして、この可動レバー６が二輪車の輪留めとして機能することにより、二輪車が駐輪レール２の上でロックされるように構成されている。
【００２３】
また、駐輪ロック装置４には、駐輪レール２における二輪車の有無を検出するための駐輪センサ７が設けられており、この駐輪センサ７としては、例えば、駐輪レール２の重量センサ、車輪を検知する光学式センサなどが適用される。なお、駐輪センサ７により、二輪車の駐輪位置への進入が検出されたときに、ロック機構５が自動的に可動レバー６を動作させて二輪車をロックするように構成してもよい。駐輪ロック装置４には、ロック機構５のロックまたは解除動作を行うとともに、駐輪センサ７からの二輪車の有無を示す信号が入力される車両側制御部としての駐輪側制御部８が設けられている。また、駐輪側制御部８には、車両側送受信処理部としての駐輪側送受信処理部９が接続されており、駐輪側送受信処理部９には、通信ケーブル１０を介して管理装置１１が接続されている。各駐輪レール２には、あらかじめ各駐輪レール２を特定することができるようにあらかじめアドレス情報が設定されており、駐輪側送受信処理部９は、このアドレス情報とともに、駐輪開始時間などの必要な駐輪情報を管理装置１１に通信するように構成されている。
【００２４】
また、各駐輪レール２の近傍には、カード受付部１２が設置されており、このカード受付部１２には、ＩＣカード１３のＩＣチップとの送受信を行うためのカード情報送受信部１４が設けられている。なお、ＩＣカード１３としては、例えば、接触型のカードまたは非接触型のカードのいずれの形式のＩＣカード１３でもよい。そして、カード情報送受信部１４は、ＩＣカード１３が接触式カードの場合には、接触式カード用端子で構成されるものであり、ＩＣカード１３が非接触式カードの場合には、非接触式カード用アンテナで構成されるものである。さらに、接触式カードおよび非接触式カードのいずれにも対応できるように、カード情報送受信部１４として、接触式カード用端子および非接触式カード用アンテナを併設するようにしてもよい。
【００２５】
また、カード情報送受信部１４には、通常状態ではＯＦＦに設定されているカード情報送受信切換スイッチ１５が接続されており、各カード情報送受信切換スイッチ１５は、例えば、同軸ケーブルからなるカード情報送受信用ケーブル１６により直列に接続されている。なお、本実施形態においては、カード情報送受信切換スイッチ１５は、カード情報送受信部１４とカード情報送受信用ケーブル１６とが接続されていない状態をＯＦＦ状態としている。
【００２６】
また、カード受付部１２には、精算用スイッチ１７が設けられており、この精算用スイッチ１７は、例えば、タッチスイッチや押しボタンスイッチなどから構成されている。駐輪ロック装置４の駐輪側制御部８は、精算用スイッチ１７が操作された際に、カード情報送受信切換スイッチ１５をＯＮに制御するように構成されている。そして、カード情報送受信切換スイッチ１５がＯＮにされた場合には、駐輪側制御部８から駐輪側送受信処理部９および通信ケーブル１０を介して管理装置１１にその旨の信号を送信するように構成されている。
【００２７】
なお、カード受付部１２に、表示部を設置するようにしてもよい。この場合には、例えば、カード情報送受信切換スイッチ１５がＯＦＦとなっている場合は、「お待ち下さい。」、カード情報送受信切換スイッチ１５がＯＮとなっている場合は、「ＩＣカードをタッチして下さい。」といったメッセージを表示させることができるように、表示部を液晶表示装置などにより構成するようにしてもよい。あるいは、例えば、カード情報送受信切換スイッチ１５がＯＦＦとなっている場合は、赤色表示、カード情報送受信切換スイッチ１５がＯＮとなっている場合は、青色表示というように、表示部を表示ランプにより構成するようにしてもよい。
【００２８】
また、管理装置１１には、ＩＣカード１３の情報の読み書きを行って駐輪料金の精算処理を行うためのカードリードライタ１８が設けられており、カードリードライタ１８には、各駐輪レール２部分に設置されたカード受付部１２と通信を行うカード情報送受信用ケーブル１６が接続されている。
【００２９】
また、管理装置１１には、通信ケーブル１０を介して駐輪側送受信処理部９との通信を行う管理側送受信処理部１９が設けられており、管理装置１１には、記憶部２０が設けられている。さらに、管理装置１１には、管理側制御部２１が設けられており、管理制御部は、カード情報送受信切換スイッチ１５がＯＮにされた旨の信号が送信された場合に、他の駐輪ロック装置４によりカード情報送受信切換スイッチ１５をＯＮにしないように制限を加えるように構成されている。さらに、管理側制御部２１は、駐輪側送受信処理部９から送信されるアドレス情報および駐輪開始時間などの駐輪情報を記憶部２０に記憶させるとともに、各駐輪ロック装置４のロック機構５のロックまたは解除指令を駐輪側送受信処理部９に送信するように構成されている。なお、管理装置１１は、駐輪場の管理会社などと通信可能としてもよい。
【００３０】
次に、本実施形態の作用について図３から図５に示すフローチャートを参照して説明する。
【００３１】
まず、駐輪時のロック処理について図３を参照して説明する。
【００３２】
利用者が所定の駐輪レール２に二輪車を進入させると、その駐輪レール２の駐輪ロック装置４の駐輪センサ７によりその進入が検知される（ＳＴ１）。二輪車の進入が検知されたら、その検知信号が駐輪側制御部８に入力され、駐輪側制御部８から、駐輪側送受信処理部９および管理側送受信処理部１９を介して管理側制御部２１に送信される（ＳＴ２）。
【００３３】
そして、管理側制御部２１により駐輪側制御部８にロック指令を送信し（ＳＴ３）、駐輪側制御部８によりロック機構５の可動レバー６を動作させて二輪車をロックさせる（ＳＴ４）。管理側制御部２１は、ロック指令を送信する一方、ロック機構５によるロックが行われたら、該当する駐輪レール２のアドレス情報および駐輪開始時刻を記憶部２０に記憶させる（ＳＴ５）。
【００３４】
次に、出車時の精算処理について図４を参照して説明する。
【００３５】
利用者が自己の二輪車の駐輪位置に来たら、利用者は、カード受付部１２の精算用スイッチ１７を操作する。精算用スイッチ１７が操作されると（ＳＴ１０）、駐輪側制御部８は、カード情報送受信切換スイッチ１５をＯＮに切り換えるとともに（ＳＴ１１）、カード情報送受信切換スイッチ１５をＯＮに切り換えた旨の信号と駐輪レール２のアドレス情報とを管理側制御部２１に送信する（ＳＴ１２）。このカード情報送受信切換スイッチ１５をＯＮに切り換えた旨の信号が管理制御部に入力されると、管理制御部は、他の駐輪ロック装置４の駐輪制御部によりカード情報送受信切換スイッチ１５をＯＮにしないように制限を加えるようになっている。そのため、この状態では、１つの駐輪ロック装置４のカード情報送受信部１４のみがカードリードライタ１８に接続されることになり、その他のカード情報送受信部１４からはカードリードライタ１８に接続されることはない。
【００３６】
そして、管理側制御部２１は、アドレス情報に基づいて記憶部２０に記憶されている駐輪開始時刻を読み出し、現在時刻に基づいて駐輪料金を算出してカードリードライタ１８に送る（ＳＴ１３）。一方、利用者は、カード受付部１２のカード情報送受信部１４部分にＩＣカード１３を接触させるか、近接させることにより、ＩＣカード１３の情報がカード情報送受信部１４を介してカードリードライタ１８に送信される。カードリードライタ１８は、管理側制御部２１から送られた駐輪料金に基づいて、料金を引き落とし、引き落とし後の料金をＩＣカード１３に書き込む（ＳＴ１５）。ＩＣカード１３の書き換えが完了したら（ＳＴ１６）、駐輪側制御部８によりカード情報送受信切換スイッチ１５をＯＦＦに切り換え（ＳＴ１７）、管理側制御部２１は、駐輪側制御部８にロック解除指令を送信するとともに（ＳＴ１８）、該当するアドレス情報の駐輪開始時刻を記憶部２０から消去する。駐輪側制御部８は、ロック機構５の可動レバー６を動作させることにより、二輪車のロックを解除する（ＳＴ１９）。
【００３７】
したがって、本実施形態においては、精算用スイッチ１７を操作することにより、精算用スイッチ１７が操作されたカード情報送受信切換スイッチ１５のみをＯＮにして１つのカード情報送受信部１４のみをカードリードライタ１８に接続させて、精算を行うようにしているので、利用者は、従来のように駐輪場に設置された精算機にわざわざ移動しなくても、容易に駐輪場の精算を行うことができる。また、カード情報送受信切換スイッチ１５によりカードリードライタ１８に接続できるカード情報送受信部１４を切り換えるようにしているので、カードリードライタ１８を１台設置すればよく、設備コストを低く抑えることができ、安価で確実な駐輪料金の精算処理を実現することが可能となる。
【００３８】
なお、前記実施形態においては、車両として自転車などの二輪車に適用した場合の実施形態について説明したが、車両として自動車に適用してもよく、この場合には、各自動車の駐車位置にロック装置およびカード受付部１２を設置することにより、駐車位置において容易に精算処理を行うことができる。
【００３９】
なお、本発明は上記実施形態に限定されるものではなく、本発明の趣旨に基づいて種々の変形が可能である。
【図面の簡単な説明】
【００４０】
【図１】本発明に係る精算管理システムの実施形態を示す概略構成図である。
【図２】本発明に係る精算管理システムの実施形態を示すブロック図である。
【図３】本実施形態におけるロック処理の動作を示すフローチャートである。
【図４】本実施形態における精算処理の動作を示すフローチャートである。
【符号の説明】
【００４１】
１  精算管理システム
２  駐輪レール
４  駐輪ロック装置
５  ロック機構
６  可動レバー
７  駐輪センサ
８  駐輪側制御部
９  駐輪側送受信処理部
１０  通信ケーブル
１１  管理装置
１２  カード受付部
１３  ＩＣカード
１４  カード情報送受信部
１５  カード情報送受信切換スイッチ
１６  カード情報送受信用ケーブル
１７  精算用スイッチ
１８  カードリードライタ
１９  管理側送受信処理部
２０  記憶部
２１  管理側制御部
【図１】
0005417067.tif 000002
【図２】
0005417067.tif 000003
【図３】
0005417067.tif 000004
【図４】
0005417067.tif 000005